(57)【要約】【課題】シートトレイ上にシートを高く積載したときにも、すべてのシートを一度に取り出して所定の場所まで簡易に運搬することができるようにし、シートトレイ上に積載されたシートを取り出す際の利便性を向上させる。【解決手段】シートトレイ１０に嵌合突起２０が、トレイ取付部１３にその嵌合突起が嵌脱する嵌合孔１７が設けられる。その嵌合孔に嵌合突起がはまり込んでトレイ取付部で該シートトレイが保持される位置に、または嵌合孔から嵌合突起が抜け出してトレイ取付部からシートトレイが取り外し可能にされる位置に、トレイ取付部に対してシートトレイが水平方向にスライド自在に取り付けられている。【選択図】図２
2009196782.tif 000002
【特許請求の範囲】
【請求項１】
シート搬送装置の装置本体に設けるトレイ取付部に、前記装置本体から排出するシートを積載するシートトレイが着脱自在に取り付けられているトレイ取付装置において、
前記トレイ取付部と前記シートトレイのいずれか一方に嵌合突起が、他方に嵌合孔が設けられ、
その嵌合孔に前記嵌合突起がはまり込んで前記トレイ取付部で該シートトレイが保持される位置に、または前記嵌合孔から前記嵌合突起が抜け出して前記トレイ取付部から前記シートトレイが取り外し可能にされる位置に、前記トレイ取付部に対して前記シートトレイが水平方向にスライド自在に取り付けられていることを特徴とするトレイ取付装置。
【請求項２】
前記嵌合突起が、前記トレイ取付部または前記シートトレイに頭付きピンを取り付けて設けられていることを特徴とする、請求項１に記載のトレイ取付装置。
【請求項３】
前記嵌合孔が、前記嵌合突起を出し入れ自在とする着脱孔部と、前記嵌合突起を掛止保持する掛止孔部と、それらの着脱孔部と掛止孔部とをつないで前記シートトレイをスライドするとき前記係合突起が移動する連絡孔部とで構成されていることを特徴とする、請求項１または２に記載のトレイ取付装置。
【請求項４】
前記シートトレイに、前記トレイ取付部に対して前記シートトレイを着脱するときに把持する取手が設けられていることを特徴とする、請求項１ないし３のいずれか１に記載のトレイ取付装置。
【請求項５】
前記シートトレイに、前記装置本体から排出するシートを積載するシート積載面と、前記トレイ取付部から取り外して載置面上に載置するときに載置面に接するトレイ底面とを設け、そのトレイ底面が前記シート積載面と平行に形成されていることを特徴とする、請求項１ないし４のいずれか１に記載のトレイ取付装置。
【請求項６】
請求項１ないし５のいずれか１に記載のトレイ取付装置が備えられていることを特徴とする、シート搬送装置。
【発明の詳細な説明】
【技術分野】
【０００１】
この発明は、複写機、プリンタ、ファクシミリ、印刷機などの画像形成装置や、それに取り付けて備えられ、画像形成装置から出力されるシートに対して仕分け、スタック、孔あけ、ステイプルなどの後処理を行うシート後処理装置など、用紙・樹脂フィルム等のシートを搬送してシートトレイ上に排出するシート搬送装置に関する。および、そのようなシート搬送装置の装置本体に設けるトレイ取付部に、装置本体から排出するシートを積載するシートトレイが着脱自在に取り付けられているトレイ取付装置に関する。
【背景技術】
【０００２】
従来、例えば特許文献１に記載されるように、装置本体内に設けられ、画像形成がなされた用紙を排出する排出手段と、装置本体の側面に設けられ、排出手段により排出される用紙が積載される排紙トレイとが備えられている用紙後処理装置において、装置本体に収納自在に設けられているとともに、排紙トレイが設けられた装置本体の側面に対して移動することにより、排紙トレイ上に積載される用紙を揃える揃え部材が備えられているものが提案されている。
【０００３】
これにより、排紙用紙を良好な状態で整列させることができるとともに、排紙トレイ上に積載された用紙を取り出す際の利便性を向上させることができる用紙後処理装置、およびそれを備えた画像形成装置を提供することができるとされる。
【０００４】
【特許文献１】特開２００６‐２８２３２７号公報
【発明の開示】
【発明が解決しようとする課題】
【０００５】
ところが、このような装置にあっても、シートトレイ上にシートを高く積載したとき、すべてのシートを一度に取り出すことができず、複数回に分けて取り出して、そのたびごとに所定の場所まで運搬しなければならない面倒があった。
【０００６】
そこで、この発明の目的は、シートトレイ上にシートを高く積載したときにも、すべてのシートを一度に取り出して所定の場所まで簡易に運搬することができるようにし、シートトレイ上に積載されたシートを取り出す際の利便性を向上させることができるトレイ取付装置、およびそれを備えたシート搬送装置を提供することにある。
【０００７】
この発明の第２の目的は、シート搬送装置の装置本体に設けるトレイ取付部に、装置本体から排出するシートを積載するシートトレイを取り付けるときに用いる嵌合突起を、トレイ取付部またはシートトレイに簡単に形成することにある。
【０００８】
この発明の第３の目的は、シート搬送装置の装置本体に設けるトレイ取付部に、装置本体から排出するシートを積載するシートトレイを着脱容易に取り付けることができるように、トレイ取付部またはシートトレイに嵌合孔を形成することにある。
【０００９】
この発明の第４の目的は、シート搬送装置の装置本体に設けるトレイ取付部に、装置本体から排出するシートを積載するシートトレイを着脱容易に取り付けることにある。
【００１０】
この発明の第５の目的は、シート搬送装置の装置本体に設けるトレイ取付部から、装置本体から排出するシートを積載したシートトレイを取り外して、適宜載置面上に安定的に載置可能とすることにある。
【課題を解決するための手段】
【００１１】
請求項１に記載の発明は、画像形成装置やシート後処理装置などのシート搬送装置の装置本体に設けるトレイ取付部に、装置本体から排出する用紙・樹脂フィルム等のシートを積載するシートトレイが着脱自在に取り付けられているトレイ取付装置において、
トレイ取付部とシートトレイのいずれか一方に嵌合突起が、他方にその嵌合突起が嵌脱する嵌合孔が設けられ、
その嵌合孔に嵌合突起がはまり込んでトレイ取付部で該シートトレイが保持される位置に、または嵌合孔から嵌合突起が抜け出してトレイ取付部からシートトレイが取り外し可能にされる位置に、トレイ取付部に対してシートトレイが水平方向にスライド自在に取り付けられていることを特徴とする。
【００１２】
そして、トレイ取付部にシートトレイを取り付けるときには、トレイ取付部にシートトレイを当ててトレイ取付部に対してシートトレイを水平方向にスライドし、嵌合突起を嵌合孔にはめ込んで、トレイ取付部でシートトレイを保持する。反対に、トレイ取付部からシートトレイを取り外すときには、トレイ取付部に対してシートトレイを逆水平方向にスライドして、嵌合孔から嵌合突起を取り外し可能とする。
【００１３】
請求項２に記載の発明は、請求項１に記載のトレイ取付装置において、嵌合突起が、トレイ取付部またはシートトレイに頭付きピンを取り付けて設けられていることを特徴とする。そして、トレイ取付部に頭付きピンの頭部を掛けてトレイ取付部でシートトレイを保持し、トレイ取付部から頭部を外して嵌合孔から嵌合突起を取り外し可能とする。
【００１４】
請求項３に記載の発明は、請求項１または２に記載のトレイ取付装置において、嵌合孔が、嵌合突起を出し入れ自在とする着脱孔部と、嵌合突起を掛止保持する掛止孔部と、それらの着脱孔部と掛止孔部とをつないでシートトレイをスライドするとき係合突起が移動する連絡孔部とで構成されていることを特徴とする。そして、嵌合孔の掛止孔部に掛けてトレイ取付部でシートトレイを保持し、連結孔部を通して嵌合突起を着脱孔部へと移動して嵌合孔から嵌合突起を取り外し可能とする。
【００１５】
請求項４に記載の発明は、請求項１ないし３のいずれか１に記載のトレイ取付装置において、シートトレイに、トレイ取付部に対してシートトレイを着脱するときに把持する取手が設けられていることを特徴とする。そして、トレイ取付部に対してシートトレイを着脱するときは、取手を把持してシートトレイを移動する。
【００１６】
請求項５に記載の発明は、請求項１ないし４のいずれか１に記載のトレイ取付装置において、シートトレイに、装置本体から排出するシートを積載するシート積載面と、トレイ取付部から取り外してテーブル等の載置面上に載置するときに載置面に接するトレイ底面とを設け、そのトレイ底面がシート積載面と平行に形成されていることを特徴とする。そして、トレイ取付部からシートトレイを取り外して適宜載置面上に載置するとき載置面にトレイ底面を接して載置面上にシートトレイを載置する。
【００１７】
請求項６に記載の発明は、請求項１ないし５のいずれか１に記載のトレイ取付装置が備えられていることを特徴とする、画像形成装置やシート後処理装置などのシート搬送装置である。
【発明の効果】
【００１８】
請求項１に記載の発明によれば、トレイ取付部に対してシートトレイを水平方向にスライドして、嵌合孔から嵌合突起を取り外し可能とすることで、シートトレイ上にシートを高く積載したときにも、シートを積載したままトレイ取付部からシートトレイを簡易に取り外すことができ、すべてのシートを一度に取り出して、シートトレイごと所定の場所まで簡易に運搬することができ、シートトレイ上に積載されたシートを取り出す際の利便性を向上させることができる。
【００１９】
また、トレイ取付部にシートトレイを取り付けるときには、トレイ取付部にシートトレイを当ててトレイ取付部に対してシートトレイを水平方向にスライドし、嵌合突起を嵌合孔にはめ込むだけで、トレイ取付部でシートトレイを保持するので、シートトレイの取り付け操作も簡単とすることができる。
【００２０】
請求項２に記載の発明によれば、シート搬送装置の装置本体に設けるトレイ取付部に、装置本体から排出するシートを積載するシートトレイを取り付けるときに用いる嵌合突起が、トレイ取付部またはシートトレイに頭付きピンを取り付けて設けられているので、嵌合突起を、トレイ取付部またはシートトレイに簡単に形成することができる。
【００２１】
請求項３に記載の発明によれば、嵌合孔が、嵌合突起を出し入れ自在とする着脱孔部と、嵌合突起を掛止保持する掛止孔部と、それらの着脱孔部と掛止孔部とをつないでシートトレイをスライドするとき係合突起が移動する連絡孔部とで構成されているので、シート搬送装置の装置本体に設けるトレイ取付部に、装置本体から排出するシートを積載するシートトレイを着脱容易に取り付けることができるように、トレイ取付部またはシートトレイに嵌合孔を形成することができる。
【００２２】
請求項４に記載の発明によれば、トレイ取付部に対してシートトレイを着脱するときは、取手を把持してシートトレイを移動するので、シート搬送装置の装置本体に設けるトレイ取付部にシートトレイを着脱容易に取り付けることができる。シートトレイ上にシートを高く積載したときにも、シートトレイごとシートを簡単に取り出すことができる。
【００２３】
請求項５に記載の発明によれば、シートトレイに、装置本体から排出するシートを積載するシート積載面と、トレイ取付部から取り外してテーブル等の載置面上に載置するときに載置面に接するトレイ底面とが設けられ、そのトレイ底面がシート積載面と平行に形成される構成とし、トレイ取付部からシートトレイを取り外して、適宜テーブル等の載置面上に載置するとき載置面にトレイ底面を接して載置面上にシートトレイを載置するので、トレイ取付部からシートトレイを取り外して、シートトレイからシートが落ちないように、適宜載置面上に安定的に載置可能とすることができる。
【００２４】
請求項６に記載の発明によれば、シートトレイ上にシートを高く積載したときにも、すべてのシートを一度に取り出して所定の場所まで簡易に運搬することができるようにし、シートトレイ上に積載されたシートを取り出す際の利便性を向上させることができる。また、トレイ取付部に対するシートトレイの取り付け操作も簡単とすることができる。
【発明を実施するための最良の形態】
【００２５】
以下、図面を参照しつつ、この発明の実施の最良形態につき説明する。
図１には、この発明のシート搬送装置の一例であるシート後処理装置１００を、画像形成装置の一例である複写機２００とともに示す。シート後処理装置１００は、そのシート挿入口を複写機のシート排出口に接続して、複写機に並べて設置される。
【００２６】
そして、シート後処理装置１００には、複写機２００で画像形成済みのシートが、複写機２００のシート排出口から排出されて自身のシート挿入口を通して送り込まれる。シート後処理装置１００に送り込まれたシートは、そこで仕分け、スタック、孔あけ、ステイプルなどの後処理が行われて、シートトレイ１０上に排出される。
【００２７】
シートトレイ１０は、シート後処理装置１００の装置本体１２に設けるトレイ取付部１３に着脱自在に取り付けられ、装置本体１２から排出するシートを積載する。トレイ取付部１３は、公知の昇降機構によって装置本体１２の側面１２ａに沿って上下に昇降可能に設けられ、シートトレイ１０上にシートが積載されるにともない、積載シートの最上位の面が一定高さとなるように順次下降するようになっている。
【００２８】
図２には、図１に示すシート後処理装置１００のトレイ取付装置Ｔを拡大して示す。
図２に示すように、トレイ取付部１３は、取付部本体１４上に、不図示の固定ねじ等を用いて接合板１５が取り付けられている。取付部本体１４は、中空形状となっており、平らな帯板形状の頂壁１４ａと、傾斜する底壁１４ｂと、装置本体１２の側面１２ａ側の内側壁１４ｃと、反対側の外側壁１４ｄとで構成されている。
【００２９】
図３（Ａ）には、取付部本体１４の頂壁１４ａにあけた長孔１６の形状を示し、（Ｂ）には、接合板１５にあけた嵌合孔１７の形状を示す。
長孔１６と嵌合孔１７とは、それぞれ頂壁１４ａと接合板１４との対応する位置にあけられている。そして、図３（Ｂ）に示すように、嵌合孔１７は、瓢箪型をなし、後述するシートトレイ１０の嵌合突起２０を出し入れ自在とする大径の着脱孔部１７ａと、嵌合突起２０を掛止保持する小径の掛止孔部１７ｂと、それらの着脱孔部１７ａと掛止孔部１７ｂとをつないでシートトレイ１０をスライドするとき係合突起２０が移動する一定幅の連絡孔部１７ｃとで構成されている。
【００３０】
図４には、シートトレイ１０の外観を示す。
シートトレイ１０には、表側に、装置本体１２から排出するシートを積載するシート載置面１０ａが設けられ、裏側に、そのシート載置面１０ａと平行に形成されているトレイ底面１０ｂと、トレイ取付部１３の接合板１４に接する取付面１０ｃが設けられている。また、シートトレイ１０の両側面には、それぞれトレイ取付部１３に対してシートトレイ１０を着脱するときに把持する取手１８が両側に突出して設けられている。
【００３１】
また、シートトレイ１０のシート載置面１０ａには、シート搬送方向Ａの上流側であって、トレイの両側に、シート載置面１０ａ上に積載したシートを取り出すときに手を入れる凹部１０ｄが幅方向（シート搬送方向Ａと直交する方向）形成されるとともに、シート載置面１０ａから裏側方向に向けて段付き孔１０ｅが形成されている。段付き孔１０ｅは、シートトレイ１０の両側で、シート搬送方向Ａに並べてそれぞれ２つずつあけられている。
【００３２】
段付き孔１０ｅには、図２に示すように、それぞれ裏側から頭付きピン２１の先端が挿入される。また、表側から取付ねじ２２が挿入されて頭付きピン２１の先端にねじ付けられ、段付き孔１０ｅ内の段部で抜け止めされることによりシートトレイ１０に頭付きピン２１を取り付けて嵌合突起２０が設けられる。すなわち、図示例では、シートトレイ１０に嵌合突起２０が、トレイ取付部１３に嵌合孔１７が設けられている。
【００３３】
そして、トレイ取付部１３にシートトレイ１０を取り付けるときは、嵌合突起２０を、それぞれ嵌合孔１７の着脱孔部１７ａを通して取付部本体１４の長孔１６内に入れ、図２に示すようにトレイ取付部１３の接合板１５上に取付面１０ｃを当てる。図５には、このときのトレイ取付部１３に対する嵌合突起２０の嵌合状態を示す。また、このときの頭付きピン２１の頭部２１ａと長孔１６との位置関係は、図３（Ａ）に示すようになっており、頭付きピン２１の頭部２１ａおよびピン部２１ｂと、嵌合孔１７の着脱孔部１７ａとの大きさの関係は、図３（Ｂ）に示すようになっている。
【００３４】
この取付状態から、取付面１０ｃを接合板１５上に当てたまま、トレイ取付部１３に対してシートトレイ１０をシート搬送方向Ａの上流側に向けて水平方向にスライドすると、すなわち図２でシートトレイ１０を右方向に移動すると、頭付きピン２１の頭部２１ａが長孔１６内を移動し、ピン部２１ｂが嵌合孔１７の連絡孔部１７ｃを移動して掛止孔部１７ｂに入り、嵌合突起２０が嵌合孔１７にはまり込んで接合板１５に掛け止めされ、トレイ取付部１３でシートトレイ１０が保持される。
【００３５】
図６には、このときの状態を示す。また、このときの頭付きピン２１の頭部２１ａ′と長孔１６との位置関係は、図３（Ａ）に示すようになっており、頭付きピン２１の頭部２１ａ′およびピン部２１ｂ′と、嵌合孔１７の着脱孔部１７ａとの大きさの関係は、図３（Ｂ）に示すようになっている。すなわち、頭付きピン２１の頭部２１ａ′が、接合板１５に掛け止めされて、掛止孔部１７ｂから抜け出すことが防止される。
【００３６】
反対に、トレイ取付部１３からシートトレイ１０を取り外すときには、トレイ取付部１３に対してシートトレイ１０をシート搬送方向Ａの下流側に向けて逆水平方向にスライドし、嵌合孔１７から嵌合突起２０を抜き出す。つまり、図６に示す状態から図５に示す状態に戻して、接合板１５に対する掛け止めを解除し、頭付きピン２１の頭部２１ａを、嵌合孔１７の着脱孔部１７ａを通して抜き出し可能とし、シートトレイ１０を上方へと移動することにより、トレイ取付部１３からシートトレイ１０を取り外すことができるようにする。
【００３７】
図示トレイ取付装置Ｔが備えられているシート後処理装置１００では、上記したとおり、トレイ取付部１３に対してシートトレイ１０を水平方向にスライドして、嵌合孔１７から嵌合突起２０を抜き出すことで、シートトレイ１０上にシートを高く積載したときにも、シートを積載したままの状態で、取手１８を持ってトレイ取付部１３からシートトレイ１０を簡易に取り外すことができ、すべてのシートを一度に取り出して、シートトレイ１０ごと所定の場所まで簡易に運搬することができ、シートトレイ１０上に積載されたシートを取り出す際の利便性を向上することができる。
【００３８】
図７には、シート載置面１０ａ上にシート２４を積載した状態でトレイ取付部１３から取り外したシートトレイ１０を、テーブル等の載置面２５上にトレイ底面１０ｂを接して載置した状態を示す。この例では、トレイ底面１０ｂがシート積載面１０ａと平行に形成されているので、トレイ取付部１３からシートトレイ１０を取り外して、シートトレイ１０からシート２４が落ちないように、適宜載置面２５上に安定的に載置可能とすることができる。
【００３９】
また、トレイ取付部１３にシートトレイ１０を取り付けるときにも、取手１８を持ってトレイ取付部１３にシートトレイ１０を当ててトレイ取付部１３に対してシートトレイ１０を水平方向にスライドし、嵌合突起２０を嵌合孔１７にはめ込むだけで、トレイ取付部１３でシートトレイ１０を保持するので、シートトレイ１０の取り付け操作も簡単とすることができる。
【００４０】
なお、上述した例では、シートトレイ１０に嵌合突起２０が、トレイ取付部１３に嵌合孔１７が設けられている場合について説明したが、逆にシートトレイに嵌合孔が、トレイ取付部に嵌合突起が設けられるようにしてもよい。
【図面の簡単な説明】
【００４１】
【図１】この発明のシート搬送装置の一例であるシート後処理装置を、画像形成装置の一例である複写機とともに示す概略構成図である。
【図２】図１に示すシート後処理装置のトレイ取付装置の拡大断面図である。
【図３】（Ａ）には、トレイ取付部の取付部本体の頂壁にあけた長孔の形状を示し、（Ｂ）には、接合板にあけた嵌合孔の形状を示す図である。
【図４】シートトレイの外観斜視図である。
【図５】トレイ取付部の嵌合孔の着脱孔部に対するシートトレイの嵌合突起の嵌合状態を示す断面図である。
【図６】トレイ取付部の嵌合孔の掛止孔部に対するシートトレイの嵌合突起の嵌合状態を示す断面図である。
【図７】シート載置面上にシートを積載した状態でトレイ取付部から取り外したシートトレイを、載置面上にトレイ底面を接して載置した状態を示す図である。
【符号の説明】
【００４２】
１０    シートトレイ
１０ａ  シートトレイのシート載置面
１０ｂ  シートトレイのトレイ底面
１０ｃ  シートトレイの取付面
１０ｄ  シートトレイの凹部
１０ｅ  シートトレイの段付き孔
１２    装置本体
１２ａ  装置本体の側面
１３    トレイ取付部
１４    取付部本体
１４ａ  取付部本体の頂壁
１４ｂ  取付部本体の底壁
１４ｃ  取付部本体の内側壁
１４ｄ  取付部本体の外側壁
１５    接合板
１６    長孔
１７    嵌合孔
１７ａ  嵌合孔の着脱孔部
１７ｂ  嵌合孔の掛止孔部
１７ｃ  嵌合孔の連絡孔部
１８    取手
２０    嵌合突起
２１    頭付きピン
２１ａ、２１ａ′  頭付きピンの頭部
２１ｂ、２１ｂ′  頭付きピンのピン部
２２    取付ねじ
２４    シート
２５    載置面
１００    シート後処理装置（シート搬送装置）
２００    複写機
Ａ      シート搬送方向
Ｔ      トレイ取付装置
【図１】
2009196782.tif 000003
【図２】
2009196782.tif 000004
【図３】
2009196782.tif 000005
【図４】
2009196782.tif 000006
【図５】
2009196782.tif 000007
【図６】
2009196782.tif 000008
【図７】
2009196782.tif 000009